【事件の表示】
　平成　４年特許願第１８８０５８号「ディジタル信号記録装置および方法」拒絶査定不服審判事件〔平成　６年　２月１０日出願公開、特開平　６−　３６４６８〕について、次のとおり審決する。
【結　論】
　本件審判の請求は、成り立たない。
【理　由】
１．手続の経緯・本願発明
　本件審判の請求にかかる特許出願（以下、「本願」という。）は、平成４年７月１５日に出願されたものであって、平成１３年１０月３０日付け拒絶理由通知に対して、平成１４年１月１１日付けで意見書及び手続補正書が提出されたが、同年６月２０日付で補正却下の決定がなされるとともに、平成１５年３月２０日付けで拒絶査定がなされ、これに対して、平成１５年４月２５日付けで拒絶査定不服の審判請求がなされるとともに、同年５月１９日付けで手続補正書が提出されたものである。そして、本願の発明は、その手続補正書によって補正された明細書の記載からみて、その特許請求の範囲の１〜１４に記載されたとおりのものと認められるところ、その請求項１に係る発明（以下、「本願発明」という。）は、次のとおりである。
　
「画面を構成する１フィールドまたは１フレーム分のディジタル映像情報に含まれるそれぞれ隣接する所定数の画素データをブロック化するブロック化手段と、
　該ブロック化手段により生成されたブロックに対応付けられた記録データを前記ブロックの前記画面内の位置に応じて当該画面の画像の乱れが視覚的に目立つ第１の部分、および前記画面の画像の乱れが視覚的に目立たない第２の部分の記録データに分離するデータ分離手段と、
　前記第１および第２の部分の記録データを前記１フィールドまたは１フレーム分のディジタル映像情報に対応する記録媒体上の複数の連続するトラックに記録する際、前記データ分離手段から出力される前記第２の部分に対応する前記記録データを前記複数の連続するトラックの内の最後のトラックに記録するよう出力する記録データ生成手段とを備えることを特徴とするディジタル信号記録装置。」
　
２．公知刊行物（引用例）に記載された発明
　これに対して、原査定の拒絶の理由に引用された特開昭６３−１１０８８４号公報（昭和６３年５月１６日出願公開、以下、「引用例」という。）には、図面と共に次の（１）〜（５）の事項が記載されている。
　
（１）「〔発明の利用分野〕
　本発明は、例えばディジタルビデオテープレコーダ（以下「ディジタルＶＴＲ」と略称する）のように、ビデオ信号をディジタル化して記録再生するディジタルデータ記録再生装置に関する。」（第１頁右下欄第４行〜同欄第８行）
　
（２）「〔発明の目的〕
　本発明の目的は、磁気テープに対するビデオヘッドの当り光（正しくは、「始」）めと当り終りの部分に多く発生する符号誤りによる画質の劣化を最小にするディジタルデータ記録再生装置を提供することにある。
〔発明の概要〕
　上記問題点を解決する本発明の手段は、記録する前に、画像メモリを持ち、符号誤りが発生しやすい磁気テープへのヘッドの当り始めと当り終りの部分に画面の周辺部のデータを配置し、符号誤りが発生しにくい部分に画面の中央部のデータを配置して記録再生することにより、たとえ符号誤りが発生しても画面の周辺部に多く発生するので情報量の多い画面中央部のデータ信頼性を高くすることができる。」（第２頁左下欄第５行〜同欄第１９行）
　
（３）「第１図は本発明によるディジタルデータ記録再生装置の実施例を示すブロック図である。このディジタルデータ記録再生装置１４は、例えばディジタルＶＴＲのように、ビデオ信号をディジタル化したディジタルデータ又は、図示外のディジタルシステムからのディジタルデータを記録再生するもので、Ａ／Ｄ変換器２と、変換回路１５と、符号回路３と、記録再生部４と、訂正回路５と、逆変換回路１６と、Ｄ／Ａ変換器６とから構成されている。上記Ａ／Ｄ変換器２は、図示外のテレビシステムから得られるビデオ信号をディジタル化するものである。上記符号回路３は、Ａ／Ｄ変換器２から出力されたディジタルデータ、又は図示外のディジタルシステムから送られてくるディジタルデータに対し、符号誤りを再生時に訂正するための訂正コードを付加するものである。上記記録再生部４は、符号回路３によって訂正コードを付加されたディジタルデータを磁気テープ等の記録媒体に記録及び再生するものである。上記訂正回路５は、記録再生部４から読み出したディジタルデータの符号誤りを上記符号回路３で付加した訂正コードによって訂正するものである。上記Ｄ／Ａ変換器６は、訂正回路５で符号誤りを訂正されたディジタルデータをビデオ信号に変換して図示外のテレビシステムに送出するものである。なお、上記訂正回路５で符号誤りを訂正されたディジタルデータは、上記Ｄ／Ａ変換器６を介さずに、直接図示外のディジタルシステムに送出することもできる。
　ここで、本発明においては、上記Ａ／Ｄ変換器２と符号回路３との間に変換回路１５を設けていると共に、上記訂正回路５とＤ／Ａ変換器６との間には逆変換回路１６を設けている。上記変換回路１５は、符号誤りが発生しやすい部分のデータを画面周辺部のアドレスに変更して出力するもので、第２図に示すように、第一のフィールドメモリ１７と、第二のフィールドメモリ１８と、アドレスコントローラ１９と、切換スイッチ２０とから成る。上記第一のフィールドメモリ１７は、図示外のテレビシステムにおける飛越し走査の第１フィールドのデータを書き込むと共に読み出すものであり、第二のフィールドメモリ１８は、上記飛越し走査の第２フィールドデータを書き込むと共に読み出すものである。そして、これら第一及び第二のフィールドメモリ１７，１８を並列に設けている。上記アドレスコントローラ１９は、第一または第二のフィールドメモリ１７，１８からそれぞれ第１フィールドのデータ又は第２フィールドのデータを読み出す時に、そのアドレスを適宜変更して符号誤りが発生しやすい部分のデータを画面周辺部のアドレスに変更するものである。また、上記切換スイッチ２０は、第一及び第二のフィールドメモリ１７，１８からデータを読み出す時にその出力データを１フィールドごとに切り換えるものである。」（第２頁右下欄第３行〜第３頁右上欄第１７行）
　
（４）「次に、このように構成された変換回路１５及び逆変換回路１６の動作を第４図及び第５図を用いて説明する。まず、変換回路１５においては、第２図に示すように、Ａ／Ｄ変換器２から出力された飛越し走査の第１フィールドのデータ又は図示外のディジタルシステムからのディジタルデータを第一のフィールドメモリ１７に書き込む。ここで、上記第一のフィールドメモリ１７には、第４図に示すように、例えば５２５本の走査線に対応して１から５２５までのアドレスが割り付けられており、上記ディジタルデータはアドレスの変更なしにそのままのアドレスへ書き込まれる。このとき、切換スイッチ２０は、第二のフィールドメモリ１８側の接点に切り換わっており、前回の飛越し走査の第２フィールドのデータが続み出されている。次に、このような書き込み、読み出しが終了すると、上記切換スイッチ２０は、第一のフィールドメモリ１７側の接点に切り換わり、その第一のフィールドメモリ１７から第１フィールドのデータを読み出す。このとき、アドレスコントローラ１９の制御により、第４図に示すように、まず、周辺部のデータＤ１を読み出し、次の周辺部のデータＤ２を読み出す。そして、画面中央部のデータＤ５を読み出し、次に、周辺部のデータＤ３を読み出して、次の周辺部のデータＤ４を読み出す。このようにして周辺部のデータＤ１，Ｄ２，Ｄ３，Ｄ４は、符号誤りが発生しやすい、トラックの始めと終りのアドレスに変更されて読み出される。この間、これと並行して第二のフィールドメモリ１８には、今回の飛越し走査の第２フィールドのデータが第４図の左側図に示すように書き込まれている。次に、上記切換スイッチ２０は、第二のフィールドメモリ１８側に切り換わり、その第二のフィールドメモリ１８から第２フィールドのデータを第４図に示すようにアドレスを変更して読み出す。この動作を１フィールドごとに繰り返し、その出力データを切換スイッチ２０で切り換えることにより、符号回路３を介して記録再生部４の記録媒体に、第４図の右側図に示すようにアドレスが変更されたデータが書き込まれる。」（第３頁左下欄第１８行〜第４頁左上欄第１７行）
　
（５）「また、ここでは、図示外のテレビシステムの走査が飛越し走査の場合を示したが、順次走査の場合でも支障は無い。
　そして、第６図に示すように１フィールドのデータを数トラックにわたり書き込むマルチトラック方式においても、同様に画像認識にあまり影響の無い画面周辺部のデータＤ１′，Ｄ３′，Ｄ４′，Ｄ６′を各トラックの初めと終りの部分のアドレスに変更すればよい。
　　　　　　　　　　・・・（中略）・・・
　また、ここでは、画像認識に大きな影響のある中央部とあまり影響の無い周辺部の２つのデータを分割してアドレスの変更を行なったが、例えば第８図に示すように分割せずに連続的に中央部のデータがトラック中央部アドレスになるように変更することもできる。」（第４頁左下欄第２０行〜同頁右下欄第１８行）
　　
　したがって、これらの記載事項及び図面の記載を総合勘案すると、引用例には、
「テレビシステムにおける飛越し走査の第１フィールドのデータを書き込むと共に読み出す第一のフィールドメモリ１７と、飛越し走査の第２フィールドデータを書き込むと共に読み出す第二のフィールドメモリ１８と、第一のフィールドメモリ１７から第１フィールドのデータを読み出すときと、第二のフィールドメモリ１８から第２フィールドのデータを読み出すときに、まず、周辺部のデータＤ１を読み出し、次の周辺部のデータＤ２を読み出し、画面中央部のデータＤ５を読み出し、次に、周辺部のデータＤ３を読み出して、次の周辺部のデータＤ４を読み出すことにより、周辺部のデータＤ１，Ｄ２，Ｄ３，Ｄ４は、符号誤りが発生しやすいので、トラックの始めと終りのアドレスに変更して読み出し、また、１フィールドのデータを数トラックにわたり書き込むとき、画像認識にあまり影響の無い画面周辺部のデータを各トラックの始めと終りの部分のアドレスに変更して読み出すアドレスコントローラ１９と、第一及び第二のフィールドメモリ１７，１８からデータを読み出す時にその出力データを１フィールドごとに切り換える切換スイッチ２０と、切換スイッチ２０で切り換えることにより、符号回路３を介して記録再生部４の記録媒体に、アドレスが変更されたデータが書き込まれ、符号誤りが発生しやすい磁気テープへのヘッドの当り始めと当り終りの部分には画面の周辺部のデータを配置し、符号誤りが発生しにくい部分には画像認識に大きな影響のある画面の中央部のデータを配置して記録再生するディジタルデータ記録再生装置。」
の発明（以下、「引用発明」という。）が記載されている。
　
３．対比
　本願発明と、引用発明とを対比する。
　
（１）引用発明の「テレビシステムにおける飛越し走査の第１フィールドのデータ」及び「飛越し走査の第２フィールドデータ」は、本願発明の「画面を構成する１フィールドまたは１フレーム分のディジタル映像情報」に相当する。
　
（２）引用発明の「画像認識にあまり影響の無い画面周辺部のデータＤ１，Ｄ２，Ｄ３，Ｄ４」は、本願発明の「画面の画像の乱れが視覚的に目立たない第２の部分の記録データ」に相当し、引用発明の「画像認識に大きな影響のある画面中央部のデータＤ５」は、本願発明の「画面の画像の乱れが視覚的に目立つ第１の部分の記録データ」に相当する。
　
（３）引用発明は、「１フィールドのデータを数トラックにわたり書き込む」ものであり、これは、本願発明において「第１および第２の部分の記録データを１フィールドまたは１フレーム分のディジタル映像情報に対応する記録媒体上の複数の連続するトラックに記録する」ことに相当する。
　
　したがって、本願発明と引用発明とは、次の点で一致する。
「画面を構成する１フィールドまたは１フレーム分のディジタル映像情報を画面内の位置に応じて当該画面の画像の乱れが視覚的に目立つ第１の部分、および前記画面の画像の乱れが視覚的に目立たない第２の部分の記録データに分離するデータ分離手段と、
　前記第１および第２の部分の記録データを前記１フィールドまたは１フレーム分のディジタル映像情報に対応する記録媒体上の複数の連続するトラックに記録する際、前記データ分離手段から出力される前記第２の部分に対応する前記記録データを前記複数の連続するトラックに記録するよう出力する記録データ生成手段とを備えることを特徴とするディジタル信号記録装置。」
　
　一方、両者は、以下の点で相違している。
　
（ａ）相違点１
　本願発明が、画面を構成する１フィールドまたは１フレーム分のディジタル映像情報に含まれるそれぞれ隣接する所定数の画素データをブロック化する「ブロック化手段」を備えているのに対し、引用発明には、この様な手段が示されていない点。
　
（ｂ）相違点２
　本願発明においては、第１および第２の部分の記録データを１フィールドまたは１フレーム分のディジタル映像情報に対応する記録媒体上の複数の連続するトラックに記録する際、「第２の部分に対応する記録データ」を、「複数の連続するトラックの内の最後のトラック」に記録するのに対し、引用発明においては、符号誤りが発生しやすい「各トラックの始めと終りの部分」に、「画面の周辺部のデータ」（本願発明の「第２の部分に対応する記録データ」に相当。）を配置している点。
　
４．当審の判断
（Ａ）相違点１について
　本願発明において「ブロック化手段」とは、映像信号に帯域圧縮を施すための高能率符号化回路において、離散コサイン変換を施す単位として映像信号を８画素×８ラインのブロックに分割するものであるが（本願明細書段落【０００６】参照。）、この様な高能率符号化を行う際に、映像信号をブロック化することは、例えば、特開平４−９６４８４号公報や特開平４−１７８０８６号公報に記載があるように、当該技術分野において周知の技術であるから、当該周知の技術を引用発明に適用し、相違点１とした本願発明の構成とすることに格別の困難性はない。
　
（Ｂ）相違点２について
　本願発明において、「第２の部分に対応する記録データ」を、「複数の連続するトラックの内の最後のトラック」に記録するのは、つなぎ撮り編集操作を行う際、カットインポイントで、予め記録されていたトラックのデータがオーバーライトされつぶれてしまった場合であっても、外周部データとしておけば、正しく再生されなくとも画面上で視覚的に目立たない画像となり、画面内部の視覚的に重要な部分は正しく再生されるため、つなぎ目における画質劣化が目立たない再生画像が得られるからである（本願明細書段落【００３４】参照。）。しかしながら、編集を行ったときに新しい信号のトラックが重なって元の信号が失われた場合、元の画像信号に影響を与えないよう、編集されるトラックの最後のトラックに、つぶれてしまっても良い信号を記録することは、例えば、特開平３−１６２７８９号公報や特開平１−１０６３８２号公報に記載があるように、当該技術分野において周知の技術である。また、引用発明において、「画面周辺部のデータ」を、符号誤りが発生しやすい「各トラックの始めと終りの部分」に記録しているのは、「画面周辺部のデータ」が、画像認識にあまり影響の無いデータであるからであり、引用発明に、上記周知の技術を適用するのに際し、該「画面周辺部のデータ」のデータを、つぶれても良い信号とし、編集されるトラックの最後のトラックに記録することは、当業者が容易に想到しうるものである。
　
５．むすび
　以上のとおりであって、本願の請求項１に係る発明は、上記引用例及び周知の技術に基づいて当業者が容易に発明をすることができたものであるから、特許法第２９条第２項の規定により特許を受けることはできない。
　したがって、本願は、その余の請求項について論及するまでもなく、拒絶すべきものである。
　
　よって、結論のとおり審決する。